【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
始動条件が成立した後に実行条件が成立したことにもとづいて各々を識別可能な複数種類の識別情報の可変表示を行い表示結果を導出表示する複数の可変表示部を備え、該可変表示部に特定表示結果が導出表示されたときに遊技者にとって有利な特定遊技状態に移行させる遊技機であって、
前記可変表示部に導出表示される表示結果を前記特定表示結果とするか否かを表示結果の導出表示以前に決定する事前決定手段と、
前記実行条件が成立していないときに前記始動条件が成立した場合、当該始動条件の成立を保留記憶として所定数まで記憶する保留記憶手段と、
前記事前決定手段の決定にもとづいてあらかじめ定められた複数種類の識別情報の可変表示パターンの中から１つの可変表示パターンを選択する可変表示パターン選択手段と、
前記可変表示パターン選択手段において選択された可変表示パターンにもとづいて前記識別情報の可変表示を実行する可変表示実行手段とを備え、
前記あらかじめ定められた複数種類の識別情報の可変表示パターンには、可変表示が開始されてから表示結果が導出表示されるまでに、全ての可変表示部の識別情報を仮停止させた後に前記全ての可変表示部の識別情報の可変表示を再開させる再可変態様を第１回数実行する第１再可変表示パターンと、第２回数実行する第２再可変表示パターンとが含まれ、
前記可変表示パターン選択手段は、前記事前決定手段によって前記特定表示結果とすると決定されたときに、特定表示時選択用データにもとづいていずれか１つの可変表示パターンを選択し、前記事前決定手段によって前記特定表示結果としないと決定されたときに、前記可変表示を開始するときの前記保留記憶の保留数に対応するあらかじめ定められた非特定表示時選択用データにもとづいていずれか１つの可変表示パターンを選択し、
前記保留数に対応する非特定表示時選択用データは、前記可変表示を開始するときの前記保留数が第１保留数であることに対応する第１非特定表示時選択用データと、前記可変表示を開始するときの前記保留数が第２保留数であることに対応する第２非特定表示時選択用データとを含み、
前記第１非特定表示時選択用データと前記第２非特定表示時選択用データとは、前記特定表示時選択用データに選択可能に設定されている前記第１再可変表示パターンおよび前記第２再可変表示パターンが選択される割合が異なるように設定されている
ことを特徴とする遊技機。
【請求項２】
第１の始動条件が成立した後に第１の実行条件が成立したことにもとづいて各々を識別可能な複数種類の第１の識別情報の可変表示を行い表示結果を導出表示する第１可変表示部と、第２の始動条件が成立した後に第２の実行条件が成立したことにもとづいて各々を識別可能な複数種類の第２の識別情報の可変表示を行い表示結果を導出表示する第２可変表示部とを備え、前記第１可変表示部または前記第２可変表示部に特定表示結果が導出表示されたときに遊技者にとって有利な特定遊技状態に移行させる遊技機であって、
前記第１可変表示部および前記第２可変表示部における識別情報の可変表示に対応して、複数種類の演出用識別情報の可変表示を実行する複数の可変表示部を含む演出用可変表示装置と、
前記第１可変表示部および前記第２可変表示部に導出表示される表示結果を前記特定表示結果とするか否かを表示結果の導出表示以前に決定する事前決定手段と、
前記第１の実行条件が成立していないときに前記第１の始動条件が成立した場合、当該第１の始動条件の成立を保留記憶として所定数まで記憶する第１保留記憶手段と、
前記第２の実行条件が成立していないときに前記第２の始動条件が成立した場合、当該第２の始動条件の成立を保留記憶として所定数まで記憶する第２保留記憶手段と、
前記第１保留記憶手段が記憶する保留記憶と前記第２保留記憶手段が記憶する保留記憶との合計である合計保留数を判定する判定手段と、
前記事前決定手段の決定にもとづいてあらかじめ定められた複数種類の演出用識別情報の可変表示パターンの中から１つの可変表示パターンを選択する可変表示パターン選択手段と、
前記可変表示パターン選択手段において選択された可変表示パターンにもとづいて前記演出用識別情報の可変表示を実行する演出用可変表示実行手段とを備え、
前記あらかじめ定められた複数種類の演出用識別情報の可変表示パターンには、可変表示が開始されてから表示結果が導出表示されるまでに、全ての可変表示部の演出用識別情報を仮停止させた後に前記全ての可変表示部の演出用識別情報の可変表示を再開させる再可変態様を第１回数実行する第１再可変表示パターンと、第２回数実行する第２再可変表示パターンとが含まれ、
前記可変表示パターン選択手段は、前記事前決定手段によって前記特定表示結果とすると決定されたときに、特定表示時選択用データにもとづいていずれか１つの可変表示パターンを選択し、前記事前決定手段によって前記特定表示結果としないと決定されたときに、前記可変表示を開始するときの前記判定手段にて判定された合計保留数に対応するあらかじめ定められた非特定表示時選択用データにもとづいていずれか１つの可変表示パターンを選択し、
前記合計保留数に対応する非特定表示時選択用データは、前記判定手段にて判定された合計保留数が第１保留数であることに対応する第１非特定表示時選択用データと、前記判定手段にて判定された合計保留数が第２保留数であることに対応する第２非特定表示時選択用データとを含み、
前記第１非特定表示時選択用データと前記第２非特定表示時選択用データとは、前記特定表示時選択用データに選択可能に設定されている前記第１再可変表示パターンおよび前記第２再可変表示パターンが選択される割合が異なるように設定されている
ことを特徴とする遊技機。
【手続補正２】
【補正対象書類名】明細書
【補正対象項目名】００１５
【補正方法】変更
【補正の内容】
【００１５】
第１再可変態様パターンが、第１非特定表示時選択用データまたは第２非特定表示時選択用データのいずれか一方では選択不可能に設定され、他方では選択可能に設定されているように構成されることによって、保留数によって、事前決定手段によって特定表示結果とすると決定された場合にのみ、第１再可変態様パターンを選択する場合を設けることができる。したがって、保留数および第１再可変態様パターンにもとづく再可変態様が実行されたことにもとづいて、遊技者に対して特定表示結果となることを確信させる場合を設けることができ、遊技に対する興趣を向上させることができる。
【手続補正３】
【補正対象書類名】明細書
【補正対象項目名】００１６
【補正方法】変更
【補正の内容】
【００１６】
第１非特定表示時選択用データが、第１保留数と同じ回数再可変態様を実行する第１可変表示パターンが、第１保留数と異なる回数再可変態様を実行する第２可変表示パターンよりも選択割合が低く設定されているように構成されることによって、事前決定手段によって特定表示結果としないと決定された場合には、再可変態様の実行回数として、保留数と同数の実行回数が選択される割合を低くすることができる。そのため、保留数と同数の再可変態様が実行された場合には、事前決定手段によって特定表示結果とすると決定されている割合を高めることができる。したがって、保留数と同数の再可変態様が実行される場合の特定表示結果に対する信頼度を高めることができ、遊技者に対して保留数と再変動表示の実行回数との関係により一層の関心をもたせるようにして、遊技に対する興趣を向上させることができる。
【手続補正４】
【補正対象書類名】明細書
【補正対象項目名】００１７
【補正方法】変更
【補正の内容】
【００１７】
可変表示実行手段が第１再可変表示パターンに従って識別情報の可変表示を実行しているときに、識別情報の可変表示の開始時において保留記憶手段によって記憶されていた保留数を表示する可変表示開始時成立数表示手段を備えることによって、識別情報の可変表示が開始された後に、遊技者に対して可変表示の開始時における保留数を認識させることができる。そのため、遊技者が保留数と再可変態様の実行回数との関係をより確実に認識できるようにすることができ、さらなる遊技に対する興趣を向上させることができる。
【手続補正５】
【補正対象書類名】明細書
【補正対象項目名】００１８
【補正方法】変更
【補正の内容】
【００１８】
請求項２に記載された遊技機では、可変表示パターン選択手段が、事前決定手段によって特定表示結果とすると決定されたときに、特定表示時選択用データにもとづいていずれか１つの可変表示パターンを選択し、事前決定手段によって特定表示結果としないと決定されたときに、可変表示を開始するときの判定手段にて判定された合計保留数に対応するあらかじめ定められた非特定表示時選択用データにもとづいていずれか１つの可変表示パターンを選択し、合計保留数に対応する非特定表示時選択用データは、判定手段にて判定された合計保留数が第１保留数であることに対応する第１非特定表示時選択用データと、判定手段にて判定された合計保留数が第２保留数であることに対応する第２非特定表示時選択用データとを含み、第１非特定表示時選択用データと第２非特定表示時選択用データとは、特定表示時選択用データに選択可能に設定されている第１再可変表示パターンおよび第２再可変表示パターンが選択される割合が異なるように設定されているように構成されているので、複数の可変表示部を備える場合に合計保留数に応じて再可変態様の実行回数の選択割合を異ならせることができ、再可変態様の実行回数に対する特定表示結果にとなる信頼度を変化させることができる。したがって、識別情報の可変表示中に再可変態様を行う場合に、可変表示中における再可変態様の実行回数にかかわらず、遊技に対する興趣を向上させることができる。